(57)【要約】【課題】液位を簡単且つ確実に計測可能なフロートスイッチを得る。【解決手段】２つの円筒体６４、６５をＬ字形に連結したものであって、６４の内周面に形成され、開口端側の径が中央部に比べて大きいテーパめねじ部６３を備え、かつ６５の端部外周面に形成され、開口端部側の径が中央部に比べて小さいテーパおねじ部６２を備え、６２が、被測定液体が収納されている被液位測定容器１の側壁に直接に形成されているテーバめねじ部にねじ込みにより取外し可能に固定されるエルボ継手６０と、６０内の空間に収納され、一端側に形成されたテーパおねじ部の取付部が６０に有するテーパめねじ部にねじ込みにより固定され、被測定液体の液面の変動に応じてフロート３２が垂直方向の軸３１に沿って上下動することで液面を検出するフロートスイッチ本体３０を備えたもの。【選択図】図９
2017009321.tif 000002
【特許請求の範囲】
【請求項１】
円筒部と、前記円筒部の軸方向の一端部であって前記円筒部の穴の中心線に対して直交するようにつまみ部が一体に形成された本体と、
前記本体の円筒部の外周面であって軸方向端部から前記つまみ部に向かって径が大きくなるように形成され、第１部材の内周面に有するテーパめねじ部に螺合されるテーパおねじ部と、
前記本体の円筒部の内周面であって軸方向端部から前記つまみ部に向かって径が小さくなるように形成され、第２部材の外周面に有するテーパおねじ部に螺合されるテーパめねじ部と、
を備えたブッシング。
【請求項２】
３つの円筒体をＴ字形に連結したものであって、前記各円筒体の内周面に、それぞれ形成され開口端側の径が中央部に比べて大きいテーパめねじ部を備えたチーズ継手と、
前記チーズ継手内の空間に、前記対向する開口端に向くように収納され、被測定液体の液面の変動に応じてフロートが垂直方向の軸に沿って上下動することで液面を検出するもので、一端側の外周面に形成されたテーパおねじ部を含む付取付部を有するフロートスイッチ本体と、
円筒部と、前記円筒部の軸方向の一端部であって前記円筒部の穴の中心線に対して直交するように一体に形成されたつまみ部を有する本体と、前記本体の円筒部の外周面であって軸方向端部から前記つまみ部に向かって径が大きくなるように形成されたテーパおねじ部と、前記本体の円筒部の内周面であって軸方向端部から前記つまみ部に向かって径が小さくなるように形成されたテーパめねじ部とを備え、前記フロートスイッチ本体に有する取付部に、前記テーパめねじ部がねじ込みにより取外し可能に取付けられるブッシングと、
前記チーズ継手の前記フロートスイッチ本体の取付部とは反対側の開口端に有するテーパめねじ部にねじ込みにより取付けられるテーパおねじ部を有する有底筒状のプラグと、
円筒状であってこの中心軸とは直交する中央位置につまみ部を有し、このつまみ部の両側にそれぞれ形成されているテーパおねじ部の一方が前記チーズ継手のテーバめねじ部にねじ込みにより取付けられ、他方のテーパおねじ部が、前記被測定液体が収納されている被液位測定容器の側壁に形成されているめねじ部又は前記被液位測定容器の側壁に連通されている別部材に形成されているめねじ部あるいは前記被液位測定容器の側壁に連通されているフロートスイッチ取付用配管に形成されているめねじ部にねじ込みにより取外し可能に固定されるニップル継手と、
を具備したことを特徴とするフロートスイッチ。
【請求項３】
２つの円筒体をＬ字形に連結したものであって、前記円筒体のうちの一方の内周面に形成され、開口端側の径が中央部に比べて大きいテーパめねじ部を備え、かつ前記円筒体の他方の外周面に形成され、開口端部側の径が中央部に比べて小さいテーパおねじ部を備え、前記テーパおねじ部が、被測定液体が収納されている被液位測定容器の側壁に形成されているテーパめねじ部又は前記被液位測定容器の側壁に連通されている別部材に形成されているテーバめねじ部にねじ込みにより取外し可能に固定されるエルボ継手と、
前記エルボ継手内の空間に収納され、一端側の外周面に形成されたテーパおねじ部を含む取付部が前記エルボ継手に有するテーパめねじ部にねじ込みにより固定され、被測定液体の液面の変動に応じてフロートが垂直方向の軸に沿って上下動することで液面を検出するフロートスイッチ本体と、
円筒部と、前記円筒部の軸方向の一端部であって前記円筒部の穴の中心線に対して直交するようにつまみ部が一体に形成された本体と、前記本体の円筒部の外周面であって軸方向端部から前記つまみ部に向かって径が大きくなるように形成されたテーパおねじ部と、前記本体の円筒部の内周面であって軸方向端部から前記つまみ部に向かって径が小さくなるように形成されたテーパめねじ部とを備え、前記フロートスイッチ本体に有する取付部に、前記テーパめねじ部がねじ込みにより取外し可能に取付けられるブッシングと、
を具備したことを特徴とするフロートスイッチ。  
【請求項４】
３つの円筒体をＴ字形に連結したものであって、前記各円筒体の内周面に、それぞれ形成され開口端側の径が中央部に比べて大きいテーパめねじ部を備えたチーズ継手と、
前記チーズ継手内の空間に、前記対向する開口端に向くように収納され、被測定液体の液面の変動に応じてフロートが垂直方向の軸に沿って上下動することで液面を検出するもので、前記軸の一端側の外周面に形成され、かつ前記チーズ継手のテーパめねじ部に螺合するテーパおねじ部を含む取付部を有するフロートスイッチ本体と、
前記チーズ継手の前記フロートスイッチ本体の取付部とは反対側の開口端に有するテーパめねじ部にねじ込みにより取付けられるテーパおねじ部を有する有底筒状のプラグと、
円筒状であってこの中心軸とは直交する中央位置につまみ部を有し、このつまみ部の両側にそれぞれ形成されているテーパおねじ部の一方が前記チーズ継手のテーバめねじ部にねじ込みにより取付けられ、他方のテーパおねじ部が、前記被測定液体が収納されている被液位測定容器の側壁に形成されているめねじ部又は前記被液位測定容器の側壁に連通されている別部材に形成されているめねじ部あるいは前記被液位測定容器の側壁に連通されているフロートスイッチ取付用配管に形成されているめねじ部にねじ込みにより取外し可能に固定されるニップル継手と、
を具備したことを特徴とするフロートスイッチ。
【請求項５】
２つの円筒体をＬ字形に連結したものであって、前記円筒体のうちの一方の内周面に形成され、開口端側の径が中央部に比べて大きいテーパめねじ部を備え、かつ前記円筒体の他方の外周面に形成され、開口端部側の径が中央部に比べて小さいテーパおねじ部を備え、前記テーパおねじ部が、被測定液体が収納されている被液位測定容器の側壁に形成されているテーバめねじ部に直接又は前記被液位測定容器の側壁に連通されている別部材に形成されているテーバめねじ部にねじ込みにより取外し可能に固定されるエルボ継手と、
前記エルボ継手内の空間に収納され、一端側に形成されたテーパおねじ部を含む取付部が前記エルボ継手に有するテーパめねじ部にねじ込みにより固定され、被測定液体の液面の変動に応じてフロートが垂直方向の軸に沿って上下動することで液面を検出するフロートスイッチ本体と、
を具備したことを特徴とするフロートスイッチ。
【請求項６】
２つの円筒体をＬ字形に連結したものであって、前記円筒体のうちの一方の内周面に形成され、開口端側の径が中央部に比べて大きいテーパめねじ部を備え、かつ前記円筒体の他方の内周面に形成され、開口端部側の径が中央部に比べて小さいテーパめねじ部を備え、前記テーパめねじ部が、被測定液体が収納されている被液位測定容器の側壁に形成されているテーパおねじ部又は前記被液位測定容器の側壁に連通されている別部材に形成されているテーバおねじ部にねじ込みにより取外し可能に固定されるエルボ継手と、
前記エルボ継手内の空間に収納され、一端側に形成されたテーパおねじ部を含む取付部が前記エルボ継手に有するテーパめねじ部にねじ込みにより固定され、被測定液体の液面の変動に応じてフロートが垂直方向の軸に沿って上下動することで液面を検出するフロートスイッチ本体と、
円筒部と、前記円筒部の軸方向の一端部であって前記円筒部の穴の中心線に対して直交するようにつまみ部が一体に形成された本体と、前記本体の円筒部の外周面であって軸方向端部から前記つまみ部に向かって径が大きくなるように形成されたテーパおねじ部と、
前記本体の円筒部の内周面であって軸方向端部から前記つまみ部に向かって径が小さくなるように形成されたテーパめねじ部とを備え、前記フロートスイッチ本体に有する取付部に、前記テーパめねじ部がねじ込みにより取外し可能に取付けられるブッシングと、
を具備したことを特徴とするフロートスイッチ。
【請求項７】
２つの円筒体をＬ字形に連結したものであって、前記円筒体のうちの一方の内周面に形成され、開口端側の径が中央部に比べて大きいテーパめねじ部を備え、かつ前記円筒体の他方の内周面に形成され、開口端部側の径が中央部に比べて小さいテーパめねじ部を備え、前記テーパめねじ部が、被測定液体が収納されている被液位測定容器の側壁に形成されているテーパおねじ部又は前記被液位測定容器の側壁に連通されている別部材に形成されているテーバおねじ部にねじ込みにより取外し可能に固定されるエルボ継手と、
前記エルボ継手内の空間に収納され、一端側に形成されたテーパおねじ部を含む取付部が前記エルボ継手に有するテーパめねじ部にねじ込みにより固定され、被測定液体の液面の変動に応じてフロートが垂直方向の軸に沿って上下動することで液面を検出するフロートスイッチ本体と、
を具備したことを特徴とするフロートスイッチ。
【請求項８】
前記フロートスイッチ本体に有するフロートの外周の直径を、前記ブッシングのテーパおねじ部の直径より大きく形成したことを特徴とする請求項２に記載のフロートスイッチ。
【請求項９】
前記フロートスイッチ本体に有するフロートの外周の直径を、前記ブッシングのテーパおねじ部の直径より大きく形成したことを特徴とする請求項３に記載のフロートスイッチ。
【請求項１０】
前記フロートスイッチ本体に有するフロートの外周の直径を、前記チーズ継手のテーパめねじ部の直径より大きく形成したことを特徴とする請求項４に記載のフロートスイッチ。
【請求項１１】
前記フロートスイッチ本体に有するフロートの外周の直径を、前記エルボ継手のテーパめねじ部の直径より大きく形成したことを特徴とする請求項３に記載のフロートスイッチ。
【発明の詳細な説明】
【技術分野】
【０００１】
本実施形態は、液面に対して垂直方向の軸に沿って上下するフロート（浮き子）を備えたフロートスイッチ、フロートスイッチ等に適用されるブッシングに関する。
【背景技術】
【０００２】
従来、被液位測定容器（被液体液面測定容器）内の液体の液面位置を計測する方法として、（１）浮き子の上下の向きが変わることによる検知方法、（２）横取付け式のレベルセンサを用いる方法、（３）縦方向に長い軸を持った液面センサを用いて液面計測を行う方法がある。
【先行技術文献】
【特許文献】
【０００３】
【特許文献１】特開平９−１５０２２号公報
【特許文献２】特開平７−２８８０７３号公報
【特許文献３】実開平６−８０２３７号公報
【発明の概要】
【発明が解決しようとする課題】
【０００４】
前述のいずれの方法も一長一短があり、本実施形態は液位を簡単且つ確実に計測可能であって、また必要に応じてフロートスイッチ本体を取外してメンテナンスが可能なフロートスイッチ、フロートスイッチ等に適用されるブツシングを提供することを目的とする。
【課題を解決するための手段】
【０００５】
本実施形態の代表例は、３つの円筒体をＴ字形に連結したものであって、前記各円筒体の内周面に、それぞれ形成され開口端側の径が中央部に比べて大きいテーパめねじ部を備えたチーズ継手と、前記チーズ継手内の空間に、前記対向する開口端に向くように収納され、被測定液体の液面の変動に応じてフロートが垂直方向の軸に沿って上下動することで液面を検出するもので、一端側の外周面に形成されたテーパおねじ部を含む付取付部を有するフロートスイッチ本体と、円筒部と、前記円筒部の軸方向の一端部であって前記円筒部の穴の中心線に対して直交するように一体に形成されたつまみ部を有する本体と、前記本体の円筒部の外周面であって軸方向端部から前記つまみ部に向かって径が大きくなるように形成されたテーパおねじ部と、前記本体の円筒部の内周面であって軸方向端部から前記つまみ部に向かって径が小さくなるように形成されたテーパめねじ部とを備え、前記フロートスイッチ本体に有する取付部に、前記テーパめねじ部がねじ込みにより取外し可能に取付けられるブッシングと、前記チーズ継手の前記フロートスイッチ本体の取付部とは反対側の開口端に有するテーパめねじ部にねじ込みにより取付けられるテーパおねじ部を有する有底筒状のプラグと、円筒状であってこの中心軸とは直交する中央位置につまみ部を有し、このつまみ部の両側にそれぞれ形成されているテーパおねじ部の一方が前記チーズ継手のテーバめねじ部にねじ込みにより取付けられ、他方のテーパおねじ部が、前記被測定液体が収納されている被液位測定容器の側壁に形成されているめねじ部又は前記被液位測定容器の側壁に連通されている別部材に形成されているめねじ部あるいは前記被液位測定容器の側壁に連通されているフロートスイッチ取付用配管に形成されているめねじ部にねじ込みにより取外し可能に固定されるニップル継手とを具備したフロートスイッチである。
【０００６】
この代表的な実施形態によれば、液位を簡単且つ確実に計測可能であって、また必要に応じてフロートスイッチ本体を取外してメンテナンスが可能なフロートスイッチを提供することができる。
【図面の簡単な説明】
【０００７】
【図１】本実施形態の複数の例を説明するための概略構成図。
【図２】図１の第１の実施形態を説明するための各パーツの分解図。
【図３】図２の各パーツを組み合わせた第１の実施形態を示す断面図。
【図４】図１の第２の実施形態を説明するための各パーツの分解図。
【図５】図４の各パーツを組み合わせた第２の実施形態を示す断面図。
【図６】図１の第３の実施形態を説明するための各パーツの分解図。
【図７】図１の第４の実施形態を説明するための各パーツの分解図。
【図８】図３の実施形態の変形例を示す断面図。
【図９】図５の実施形態の変形例を示す断面図。
【図１０】図１の第５の実施形態を説明するための、各パーツを組み合わせた断面図。
【図１１】図７の実施形態の変形例を示すもので、各パーツを組み合わせた断面図。
【発明を実施するための形態】
【０００８】
以下、実施の形態について、図面を参照して説明するが、始めに、図１を参照して、第１〜第５の実施形態の概略について説明する。第１の実施形態は、ニップル継手５０とチーズ継手２０を備えたフロートスイッチである。具体的には、被液位測定容器１の例えば図１の左側側壁の上部及び下部にそれぞれ配管接続部１００が形成され、各配管接続部１００にはそれぞれバルブ４を介してフロートスイッチ取付け用配管２の上端部及び下端部が接続され、フロートスイッチ取付け用配管２内には被液位測定容器１の液体が供給可能に構成されている。スイッチ取付け用配管２の上端部及び下端部にはそれぞれ止めバルブ３が接続され、スイッチ取付け用配管２の所望の位置に複数個（ここでは５個）のスイッチ取付用チーズ継手９０がそれぞれ接続され、各スイッチ取付用チーズ継手９０にはそれぞれニップル継手５０を介してチーズ継手２０が接続され、各チーズ継手２０内にはそれぞれフロートスイッチ本体３０が収納され、またチーズ継手２０の上端部にそれぞれブッシング１０が接続されている。
【０００９】
このようにスイッチ取付用配管２と被液位測定容器１の配管接続部１００に、バルブ４を設けたので、各フロートスイッチ本体３０のメンテナンスを簡単に行える。
【００１０】
第２の実施形態は内部空間６４にフロートスイッチ本体３０を収納したストリート状のエルボ継手６０を使用した例で、被液位測定容器１の例えば図１の右側側壁を貫通すると共にここにテーパめねじ部（図示せず）を形成し、このテーパめねじ部にエルボ継手６０を直接螺合させたものである。
【００１１】
第３の実施形態はバルブソケット７０とニップル継手５０とエルボ継手６０を組み合わせた例で、被液位測定容器１の側壁にバルブソケット７０を溶接し、バルブソケット７０にニップル継手５０を取り付け、ニップル継手５０にエルボ継手６０を接続した例である。
【００１２】
第４の実施形態はバルブソケット７０に接続されたニップル継手５０に、バルブ８０を接続し、バルブ８０に、内部にフロートスイッチ本体３０を収納したエルボ６０を組み合わせた例で、被液位測定容器１の側壁にバルブソケット７０を溶接し、バルブソケット７０の端部内周面に形成されているテーパめねじ部（図示せず）を取り付け、テーパめねじ部にバルブ８０を介してエルボ継手６０を接続した例である。第４の実施形態はバルブ８０を閉じることで、エルボ継手６０内の空間６４に収納されたフロートスイッチ本体３０のメンテンナンスを実施できる。
【００１３】
第５の実施形態はバルブソケット７０にニップル継手５０を接続し、ニップル継手５０に内部空間６４にフロートスイッチ本体３０を収納したチーズ継手２０を組み合わせた例である。具体的には、被液位測定容器１の側壁にバルブソケット７０を溶接し、バルブソケット７０の端部内周面に形成されているテーパめねじ部（図示せず）に、ニップル継手５０を接続し、ニップル継手５０にチーズ継手２０を接続した例である。
【００１４】
図２及び図３は、第１の実施形態を詳細に説明するための図である。図２（ｃ）に示すようにチーズ継手２０は３つの円筒体２１、２１、２１をＴ字形に連結したものであって、各円筒体２１の内周面端部に、それぞれ形成され開口端側の径が中央部に比べて大きいテーパめねじ部２２、２３、２４を備えている。
【００１５】
図２（ｂ）に示すようにフロートスイッチ本体３０は、チーズ継手２０内の空間２５に、対向する開口端に向くように収納され、被測定液体の液面の変動に応じてフロート３２が垂直方向の軸３１に沿って上下動することで液面を検出するもので、一端側の外周面に形成されたテーパ雄ねじ部３５を有する取付部と、取付部近くに例えば多角形のつまみ部３４と、軸３１の端部にストッパ３３とを有する。
【００１６】
図２（ａ）に示すようにブッシング１０は、円筒部１１と、円筒部１１の軸方向の一端部であって円筒部１１の穴１３の中心線に対して直交するように一体に形成されたつまみ部１２を有する本体と、本体の円筒部１１の外周面であって軸方向端部からつまみ部１２に向かって径が大きくなるように形成されたテーパおねじ部１４と、本体の円筒部１１の内周面であって軸方向端部からつまみ部１２に向かって径が小さくなるように形成されたテーパめねじ部１５とを備え、テーパめねじ部１５にフロートスイッチ本体３０の外周面に有するテーパおねじ部を含む取付部３５が螺合され、フロートスイッチ本体３０はブッシング１０に対して取外し可能になっている。
【００１７】
図２（ｅ）に示すようにプラグ４０は有底筒状であって、チーズ継手２０のフロートスイッチ本体３０の取付部３５とは反対側の開口端に有するテーパめねじ部にねじ込みにより取付けられるテーパおねじ部４２を有している。
【００１８】
図２（ｄ）に示すようにニップル継手５０は円筒状であってこの中心軸とは直交する中央位置に例えば多角形のつまみ部５２を有し、このつまみ部５２の両側外周面にそれぞれ形成されているテーパおねじ部５３、５４の一方５３がねじ込みにより取付けられ、他方のテーパおねじ部５４が、被測定液体が収納されている被液位測定容器１の側壁に、フロートスイッチ取付用配管２の両端が連通可能に連結され、スイッチ取付用配管２に設けたスイッチ取付用チーズ継手９０に、ニップル継手５０のテーパおねじ部５４が螺合される。
【００１９】
図３は図２の各パーツを組み合わせたフロートスイッチである。
【００２０】
以上述べた第１の実施形態は、液面に対して垂直方向の軸線に対して上下動するフロートによる検出方式のレベルセンサ本体３０を、チーズ継手２０に収納すると共に、レベルセンサ本体３０の取付部３５のテーパおねじ部を、ブッシング１０のテーパめねじ部１５取り外し可能に取付け、ブッシング１０のテーパおねじ部１４を、チーズ継手２０のテーパめねじ部２２に螺合させると共に、チーズ継手２０のテーパめねじ部２３にプラグ４０に有するテーパおねじ部４２を螺合させたもである。そして、ニップル継手５０のテーパおねじ部５３がチーズ継手２０のテーパめねじ部２４が螺合されたものである。
【００２１】
この結果、第１の実施形態のフロートスイッチは、汎用の配管部材である、チーズ継手２０、プラグ４０、ニップル継手５０を組合わせ、これに本実施形態のブッシング１０を組み合わせであるので、様々な形の被液位測定容器１の任意の液位を簡単且つ確実に計測できる。また、必要に応じてセンサ本体３０を取外してメンテナンスが可能となる。
【００２２】
さらにこれ以外に次のような効果も得られる。反応する液位の位置の調整が容易で、被液位測定容器１内部でのケーブルの絡まりの心配等による信頼性の問題がない。また、フロートが垂直動作であるため、取付け時に曲がった角度で取付けても、センシングに失敗することはない。また、取付け面が平面でなくても取付けが容易である。また液面が高くても軸も長くする必要がなく、長さ方向の制限もない。また、被液位測定容器１の外側からフロートスイッチ本体３０を取付けることができるため、メンテナンス用に容器本体の内側に取外し作業を行うための蓋等を準備する必要もない。
【００２３】
図４及び図５は前述の第２の実施形態を説明するための図である。
【００２４】
図４（ｃ）に示すようにエルボ継手６０は、２つの円筒体６４、６５をＬ字形に連結した本体６１であって、本体６１の一方の端部の内周面に形成され、開口端側の径が中央部に比べて大きいテーパめねじ部６３を備え、かつ本体６１の他方の端部の外周面に形成され、開口端部側の径が中央部に比べて小さいテーパおねじ部６２を備えている。テーパおねじ部６２が、被測定液体が収納されている被液位測定容器１の側壁に貫通穴（図示せず）を形成すると共にこれにめねじ部（図示せず）を形成し、このめねじ部にテーパおねじ部６２が直接に連通可能にねじ込みにより取外し可能に固定される。
【００２５】
図４（ａ）に示すようにフロートスイッチ本体３０は、図２（ｂ）と同様に構成され、エルボ継手６０の円筒体６４内に収納され、一端側に形成されたテーパおねじ部３５の取付部がエルボ継手６０に有するテーパめねじ部６３にねじ込みにより固定され、被測定液体の液面の変動に応じてフロート３２が垂直方向の軸３１に沿って上下動することで液面を検出するものであり、軸３１の端部にはストッパ３３を有する。
【００２６】
図４（ｂ）に示すようにブッシング１０は、円筒部１１と、円筒部１１の軸方向の一端部であって円筒部１１の穴１３の中心線に対して直交するように例えば多角形のつまみ部１２が一体に形成された本体と、本体の円筒部１１の外周面であって軸方向端部からつまみ部１２に向かって径が大きくなるように形成されたテーパおねじ部１４と、円筒部１１の内周面であって軸方向端部からつまみ部１２に向かって径が小さくなるように形成されたテーパめねじ部１５とを備え、フロートスイッチ本体３０に有する取付部３５に、テーパめねじ部１５をねじ込みにより取外し可能に取付けられる。図５は図４の各パーツを組み合わせた状態、具体的にはエルボ継手６０内にフロートスイッチ本体３０を収納すると共に、フロートスイッチ本体３０の取付部３５のテーパおねじ部は、ブッシング１０のテーパめねじ部１５に螺合され、ブッシング１０のテーパおねじ部１４がエルボ継手６０のテーパめねじ部６３に螺合されている状態を示している。
【００２７】
以上述べた第２の実施形態も前述した第１の実施形態と同様な効果が得られる。
【００２８】
ここで、図４及び図５におけるエルボ継手６０の本体６１に形成されている、テーパおねじ部６２を形成せず、この代わりに本体６１の端部内周側にテーバめねじ部（図示せず）を形成し、被液位測定容器１の側壁に貫通穴（図示せず）を形成すると共にこれにおねじ部（図示せず）を形成し、このおねじ部に前記テーパめねじ部をねじ込みにより取外し可能に固定されるようにしてもよい。
【００２９】
図６は第３の実施形態を説明するための分解図であり、前述の図２の実施形態のブッシング１０を設けず、この代わりにフロートスイッチ本体３０を利用し、他の構成はチーズ継手２０と、プラグ４０と、ニップル継手５０を組み合わせたものである。
【００３０】
具体的には、チーズ継手２０は３つの円筒体２１をＴ字形に連結したものであって、前記各円筒体２１の内周面に、それぞれ形成され開口端側の径が中央部に比べて大きいテーパめねじ部２２、２３、２４を備えている。
【００３１】
フロートスイッチ本体３０は、図６（ａ）に示すように、円筒状の取付体３５と、取付体３５の上端部に例えば多角形のつまみ部３４を有すると共に、つまみ部３４と隣接し取付体３６の外周面にテーパおねじ部３５が形成され、取付体３６の中心部には円筒状の軸３１が貫通固定され、軸３１の一端側にフロートスイッチ本体の電気ケーブルが挿通され、軸３１の他端側にフロート３２が上下動可能に貫挿され、軸３１の他端側の端部にストッパ３３が設けられている。
【００３２】
プラグ４０は図６（ｄ）に示すようにチーズ継手２０のフロートスイッチ本体３０の取付部とは反対側の開口端に有するテーパめねじ部２３にねじ込みにより取付けられるテーパおねじ部４２を有する有底筒状のものである。
【００３３】
ニップル継手５０は、図６（ｃ）に示すように円筒状であってこの中心軸とは直交する中央位置に多角形のつまみ部５２を有し、このつまみ部５２の両側にそれぞれ形成されているテーパおねじ部５３、５４のうちの一方の５３がねじ込みにより取付けられ、他方のテーパおねじ部５４が、被測定液体が収納されている被液位測定容器１の側壁にねじ込みにより取外し可能に固定されている。
【００３４】
このような構成のフロートスイッチ本体３０は、以下のようにチーズ継手２０に固定されている。チーズ継手２０のテーパめねじ部２２に、フロートスイッチ本体３０の取付体３６の外周面に形成されているテーパおねじ部３５が螺合されるが、フロート３２が円筒体２１内に収納した状態で行われる。このようにしたことで、図２、図３で使用したブッシング１０を省くことが可能になる。以上述べた第３の実施形態も、これ以外の効果として第１の実施形態と同様な効果が得られる。
【００３５】
図７は第４の実施形態を説明するための図であり、これはエルボ継手６０と、フロートスイッチ本体３０とからなり、フロートスイッチ本体３０は図７（ａ）に示すように図６（ａ）とほぼ同一構成となっている。
【００３６】
エルボ継手６０は、図７（ｂ）に示すように２つの円筒体６１をＬ字形に連結したものであって、円筒体６１のうちの一方の内周面に形成され、開口端側の径が中央部に比べて大きいテーパめねじ部６３を備え、かつ円筒体６１の他方の外周面に形成され、開口端部側の径が中央部に比べて小さいテーパおねじ部６２を備え、テーパおねじ部６２が、被測定液体が収納されている被液位測定容器１の側壁にねじ込みにより取外し可能に固定される。
【００３７】
以上述べた第４の実施形態も、フロートスイッチ本体３０は、図７（ａ）に示すようにエルボ継手６０内に収納され、一端側に形成されたテーパおねじ部３５の取付体３６がエルボ継手６０に有するテーパめねじ部６３にねじ込みにより固定され、被測定液体の液面の変動に応じてフロートが垂直方向の軸に沿って上下動することで液面を検出するものである。
【００３８】
以上述べた第４の実施形態も図４（ｂ）に示すブッシング１０を省くことができ、これ以外の効果は第１の実施形態と同様な効果が得られる。
【００３９】
図８は図２の変形例を説明するための図で、フロートスイッチ本体３０に有するフロート３２の外周の直径を、ブッシング１０のテーパおねじ部１４の直径より大きく形成したものである。
【００４０】
図９は図５の変形例を説明するための図で、図５のフロートスイッチ本体３０に有するフロート３２の外周の直径を、ブッシング１０のテーパおねじ部１４の直径より大きく形成したものである。
【００４１】
図１０は図６の変形例を説明するための図で、図６のフロートスイッチ本体３０に有するフロート３２の外周の直径を、チーズ継手２０のテーパめねじ部２２の直径より大きく形成したものである。
【００４２】
図１１は図７の変形例を説明するための図で、図７のフロートスイッチ本体３０に有するフロート３２の外周の直径を、エルボ継手６０のテーパめねじ部６３の直径より大きく形成したものである。
【００４３】
前述の実施形態において、チーズ継手２０はニップル継手５０に有するテーパおねじ部の一方に接続し、ニップル継手５０に有するテーパおねじ部の他方を、被液位測定容器１の側壁に、形成した別部材例えばバルブソケット７０のテーパめねじ部に接続するようにして取り付けたり、被液位測定容器１の側壁に形成した配管接続部１００にバルブ４を介して接続したフロートスイッチ取付用配管２にニップル継手５０を介してチーズ継手２０を接続する例について説明したが、被液位測定容器１の側壁に貫通穴を形成すると共に、貫通穴にテーパめねじ部を形成し、これにニップル継手５０のテーパおねじ部５４を螺合させるようにしてもよい。
【符号の説明】
【００４４】
１…被液位測定容器、２…フロートスイッチ取付用配管、３、４…バルブ、１０…ブッシング、１１…円筒部、１２…多角形のつまみ部、１３…穴、１４…テーパおねじ部、１５…テーハ゜めねじ部、２０…チーズ継手、２１…円筒体、２２、２３、２４…テーバめねじ部、２５…空間、３０…フロートスイッチ本体、３１…軸、３２…フロート、３３…ストッパ、３４…つまみ部、３５…テーバおねじ部、３６…取付体、４０…プラグ、４１…本体、４２…テーバおねじ部、５０…ニップル継手、５１…円筒、５２…多角形のつまみ部、５３、５４…テーハ゜おねじ部、５５…穴、６０…エルボ継手、６１…本体、６２…テーパおねじ部、６３…テーパめねじ部、６４、６５…空間、９０…スイッチ取付用チーズ継手、１００…配管接続部。
【図１】
2017009321.tif 000003
【図２】
2017009321.tif 000004
【図３】
2017009321.tif 000005
【図４】
2017009321.tif 000006
【図５】
2017009321.tif 000007
【図６】
2017009321.tif 000008
【図７】
2017009321.tif 000009
【図８】
2017009321.tif 000010
【図９】
2017009321.tif 000011
【図１０】
2017009321.tif 000012
【図１１】
2017009321.tif 000013